(57)【要約】【課題】画像を分割した際に分割部分に文字が重なり分断されてしまうことを防止するための手段を提供する。【解決手段】画像処理端末１は、画像を分割するとき最初の印刷する画像に対しては印刷に使用する用紙の大きさに分割し、他の画像に対しては隣接する画像同士に設けたオーバーラップ部分を含めるようにして、かつ用紙の大きさに分割することを特徴とする。【選択図】図２
2009251930.tif 000002
【特許請求の範囲】
【請求項１】
画像の大きさが設定したサイズよりも大きい場合に、該画像を複数の画像に分割する画像処理端末であって、
画像を分割する際に、分割後の画像に対し、隣接する画像同士に分割部分から一定の長さで重複する領域を設けるための重複領域情報を格納する記憶部を有し、
画像を分割するとき、記憶部から重複領域情報を読み出し、最初に印刷する画像に対しては印刷に使用する用紙の大きさに分割し、他の画像に対しては読み出した重複領域情報により隣接する画像と重複する領域を設け、その重複する領域を含めて前記設定したサイズの大きさに分割することを特徴とする画像処理端末。
【請求項２】
請求項１に記載の画像処理端末において、
分割した各画像についてのイメージファイルを構成し、
各イメージファイルは、前記重複する領域のサイズを示す情報を有することを特徴とする画像処理端末。
【請求項３】
請求項１に記載の画像処理端末において、
複数に分割した画像を結合して元の画像に復元する際に、２つの分割画像における前記重複する領域については、一方の分割画像から前記重複する領域を削除することを特徴とする画像処理端末。
【請求項４】
請求項１に記載の画像処理端末において、
複数に分割した画像を結合して元の画像に復元する際に、２つの分割画像における前記重複する領域を重ね合わせることを特徴とする画像処理端末。
【請求項５】
請求項３または請求項４に記載の画像処理端末において、
分割画像を一括して結合することで、元の画像に復元することを特徴とする画像処理端末。
【請求項６】
請求項３または請求項４に記載の画像処理端末において、
表示部を備え、
画像を復元しその画像を前記表示部に表示する際に、復元する画像が前記表示部に表示しきれない大きさであって、表示する範囲をずらすことで表示しきれない部分を表示して、前記分割画像の重複する領域が表示されるときに、該重複する領域を含む分割画像同士を結合させることを特徴とする画像処理端末。
【発明の詳細な説明】
【技術分野】
【０００１】
本発明は、表示画面に表示された大きな画像を印刷する際に、画像を分割して複数枚の紙に印刷する画像処理端末に関する。
【背景技術】
【０００２】
一般的に画像処理端末は、印刷する用紙のサイズよりも大きな画像を印刷する際に、画像を複数に分割することで、複数の用紙に分割して印刷している。
従来の画像処理端末は、分割する際に画像に隙間のイメージを付加することで、その隙間をもとに分割画像を並べる際の位置が容易に確認できるようにしている（例えば、特許文献１参照。）。
【特許文献１】特開２００５−１０７８２２号公報（段落「００５１」、第１０図）
【発明の開示】
【発明が解決しようとする課題】
【０００３】
しかしながら、上述した従来の技術においては、分割画像の分割部分に読みたい文字などがあった場合、その文字が分断されてしまい読みづらくなってしまうため、再度分割した画像を結合して確認するか、印刷後に分割部分を繋ぎ合わせないと、その文字を確認することが困難であるという問題がある。
本発明は、上記の問題点を解決するための手段を提供することを目的とする。
【課題を解決するための手段】
【０００４】
本発明は、上記課題を解決するために、画像の大きさが設定したサイズよりも大きい場合に、該画像を複数の画像に分割する画像処理端末であって、画像を分割する際に、分割後の画像に対し、隣接する画像同士に分割部分から一定の長さで重複する領域を設けるための重複領域情報を格納する記憶部を有し、画像を分割するとき、記憶部から重複領域情報を読み出し、最初に印刷する画像に対しては印刷に使用する用紙の大きさに分割し、他の画像に対しては読み出した重複領域情報により隣接する画像と重複する領域を設け、その重複する領域を含めて前記設定したサイズの大きさに分割することを特徴とする。
【発明の効果】
【０００５】
これにより、本発明は、分割画像を印刷したときに、分割部分に文字がありその文字が分断されてしまっても、重複部分の文字が分断されているために、分断されている文字が他の分割画像を印刷した用紙に記載されているため、印刷後に分割部分を繋ぎ合わせることなく、文字の確認を行うことができるという効果が得られる。
【発明を実施するための最良の形態】
【０００６】
以下に、図面を参照して本発明による画像処理端末の実施例について説明する。
【実施例１】
【０００７】
図１は実施例１の画像処理端末の構成を示すブロック図である。
図１において、１は画像処理端末であり、例えば図面を作成するための機能を備える端末やインターネット回線に接続する端末等である。
２は制御部であり、記憶部３に格納された制御プログラムに従って画像処理端末１の各部を制御してプリンタ７による印刷処理を行うと共に、使用する用紙の大きさと印刷対象である画像の大きさとの関係から用紙に収まりきらない画像についての分割処理等を遂行する。
【０００８】
３は記憶部であり、制御プログラムを格納して、制御部２による処理結果等を記憶する他、大きな画像を印刷する際に印刷する用紙の大きさに応じて複数の分割画像に分ける分割サイズの情報や、その分割サイズで分割したとき隣接する画像同士に分割部分から一定の長さで重複する領域を設けたときのオーバーラップ部分（重複部分）の範囲等を示すオーバーラップサイズの情報等を格納する。
【０００９】
ここで、オーバーラップサイズの情報とは画素や長さ及び解像度についての内容も含んでいるものとする。
５は表示部であり、ＣＲＴやＬＥＤ等の表示画面を備えて画像処理端末１が印刷する画像等を表示する機能を有する。
６は操作部であり、キーボードやマウス等を備え、操作者から表示部５に表示した画像を印刷するための指示等を受付ける。
【００１０】
７はプリンタであり、表示部５に表示された印刷対象である画像を印刷する機能を有する。
上述した構成の作用について説明する。
操作者は、画像処理端末１の操作部６によって表示画面に図面やインターネット上の各種ページ等の画像を表示させて、その画像をプリンタ７によって印刷するための指示入力を行う。以下の説明では、スキャナ等で取込んだ帳票のイメージデータ（画像という。）を用いて説明する。
【００１１】
制御部２は、印刷指示の入力を受付けると（例えば、Ａ４やＡ３で印刷するように入力する）、表示部５に表示している印刷対象の画像の大きさが印刷する用紙の大きさに対して収まるか否かを判断し、画像が大きいことを認識したときに画像を分割するための分割処理を行う
ここで、図２は画像を分割した様子を示す説明図であり、（ａ）は元の画像、（ｂ）は複数に分割した分割画像を示している。
【００１２】
制御部２は、記憶部３から分割サイズの情報およびオーバーラップサイズの情報を読み出して、それらをもとに図２（ａ）に示す元の画像に対して画像の分割処理を行い、１枚目に印刷する分割画像ｂ−１を分割サイズに従って決定すると、２枚目に印刷する分割画像ｂ−２については１枚目の分割画像ｂ−１と重複するオーバーラップ部分を含めるようにして決まる分割サイズで分割して、３枚目に印刷する分割画像ｂ−３は２枚目の分割画像ｂ−２と重複するオーバーラップ部分を含まるようにして決まる分割サイズで分割するようにして、元の画像を３つに分割した分割画像を生成する。
【００１３】
このようにすると、図２（ｂ）に示すように、１枚目の画像ｂ−１の印刷が終わる右端から左側へ所定の幅Ａ１（斜線で示す箇所）分が、次の２枚目に印刷する分割画像ｂ−２（単に２枚目の分割画像ｂ−２という。）とのオーバーラップ部分となり、そのオーバーラップ部分を含めた分割サイズで２枚目の分割画像ｂ−２の大きさが決定し、このとき２枚目の分割画像ｂ−２の印刷が終わる右端から左側へ所定の幅Ａ２が３枚目に印刷する分割画像ｂ−３（単に３枚目の分割画像ｂ−３という。）とのオーバーラップ部分となる。
【００１４】
そして、３枚目の分割画像は、２枚目の分割画像の右端に配されたオーバーラップ部分Ａ２を含んだ分割サイズでその大きさが決定する。
なお、ここでは上記の幅Ａ１と幅Ａ２とは、同一の幅であるものとする。
制御部２は、上述した方法で生成した分割画像をプリンタ７によって印刷する。
このようにしたことによって、分割画像を印刷した用紙の分割部分で文字が分断されても、その分断されている箇所はオーバーラップ部分であるので、分断された文字を確認するために印刷した用紙を繋ぎ合わせる必要がなくなる。
【００１５】
ここで、図３は分割した画像をＴＩＦＦ形式のデータにした場合の説明図である。
制御部２は、元の画像を分割した際、その分割画像のデータをＴＩＦＦ形式等のマルチページ形式で１つのファイルにまとめるようにする。
図３において、２０はヘッダー情報部であり、１枚目に印刷する分割画像に付され、印刷日時や元の画像のファイル名等の各種情報が書き込まれて構成されている。
【００１６】
２１はタグ情報部であり、２１ａは１枚目の分割画像、２１ｂは２枚目の分割画像、２１ｃは３枚目の分割画像に設けられており、その設けられている分割画像におけるオーバーラップサイズの情報およびオーバーラップ部分における画像の内容を示す情報等が書き込まれて構成されている。
２２は分割画像データ部であり、分割画像の内容を示す情報を書き込んで構成されており、２２ａに１枚目の分割画像の情報、２２ｂに２枚目の分割画像の情報、２２ｃに３枚目の分割画像の情報がそれぞれ書き込まれている。
【００１７】
このようにしたことによって、分割画像を生成した後で、元の画像を確認したくなった場合に、制御部２は、ＴＩＦＦ形式のデータのタグ情報部２１からオーバーラップ部分の情報を認識し、３つの分割画像を連続するように並べ合わせるときに、２つの分割画像において共通しているオーバーラップ部分が重複するため、その重複するオーバーラップ部分の一方を削除し、３つの分割画像を結合して元の画像を復元することが可能となる。
【００１８】
つまり、タグ情報部２１のオーバーラップ部分の情報は、分割画像を元の画像に復元するためのものである。
なお、分割画像を結合させて元の画像に復元する際には重複するオーバーラップ部分の一方を削除してもよいし、重複するオーバーラップ部分を重ね合わせてもよい。
さらに、元の画像に復元した結果表示部５に全ての画像を表示しきれない場合、復元時に一括して画像を復元してもよいし、表示部５に表示されている画像をスクロール等によって表示範囲をずらして分割画像のオーバーラップ部分が表示されるときに、そのオーバーラップ部分を含む分割画像同士を並べ合わせるようにし、順々に画像を復元していくようにしてもよい。
【００１９】
なお、本実施例では分割画像におけるオーバーラップサイズの情報はタグ情報部２１に書き込まれているようにしたが、ヘッダー情報部２０に格納してもよいものとする。
また、本実施例では印刷時に画像の分割を行うようにしたが、印刷時ではなくスキャナ等で画像を取得した後にイメージデータをファイリングする時に分割を行ってもよい。この時、印刷時のように印刷サイズを指定していないが、これは予めどのようなサイズで分割するか設定しておけばよく、具体的には記憶部３に分割する画像の設定サイズを記憶しておき、ファイリングする際に、制御部２は記憶部３に記憶した設定サイズを読み出して分割する。
【００２０】
以上説明したように、本実施例では、プリンタで印刷する用紙の大きさに合わせて画像を印刷するときに、画像全体が用紙に収まりきらず画像を分割する場合に、オーバーラップ部分を設けるようにして分割画像を生成するので、その分割画像を印刷した際に分割部分で文字が分断されていても、その文字はオーバーラップ部分であって別の分割画像を参照することで確認することができるので、分割部分で分断された文字を確認するために印刷した分割画像を繋ぎ合わせる必要が無くなる。
【００２１】
なお、上記実施例においては、図２に示すように画像に対する横方向に３分割した例を説明したが、その分割する方向は縦方向でも、縦方向と横方向とでそれぞれ分割した場合でも同様の効果を得ることができる。
【図面の簡単な説明】
【００２２】
【図１】実施例１の画像処理端末の構成を示すブロック図
【図２】画像を分割した様子を示す説明図
【図３】分割した画像をＴＩＦＦ形式のデータで示す説明図
【符号の説明】
【００２３】
１    画像処理端末
２    制御部
３    記憶部
５    表示部
６    操作部
７    プリンタ
２０  ヘッダー情報部
２１  タグ情報部
２２  分割画像データ部
【図１】
2009251930.tif 000003
【図２】
2009251930.tif 000004
【図３】
2009251930.tif 000005